(57)【要約】【課題】縦押縁を備えた建具の排水経路を目立たなくして、排水のための部品の数を増加させずに、下枠の上面部から排水する。【解決手段】建具１は、上枠、下枠６、及び、一対の縦枠７により開口部３Ａを形成する枠体３と、開口部３Ａに配置されるパネル体を備える。下枠６は、パネル体に沿って配置される上面部６１と、上面部６１の縁部６７から上方に向かって形成された段差部６３を有する。縦枠７は、パネル体に沿って配置されて段差部６３との間に隙間７１を形成する縦押縁５０と、縦押縁５０が取り付けられる縦枠本体７Ａと、隙間７１から縦枠本体７Ａ側に流れる水が流入する排水口７０を有する。【選択図】  図４
2018076703.tif 000002
【特許請求の範囲】
【請求項１】
上枠、下枠、及び、一対の縦枠により開口部を形成する枠体と、前記開口部に配置されるパネル体と、を備えた建具であって、
前記下枠は、前記一対の縦枠の間で前記パネル体に沿って配置される上面部と、前記パネル体が位置する側の反対側に位置する前記上面部の縁部から上方に向かって形成された段差部と、を有し、
前記縦枠は、前記上面部と前記上枠の間で前記パネル体に沿って配置されて前記段差部との間に隙間を形成する縦押縁と、前記縦押縁が取り付けられる縦枠本体と、前記隙間から前記縦枠本体側に流れる水が流入する排水口と、を有する建具。
【請求項２】
請求項１に記載された建具において、
前記上面部は、前記縦押縁により遮蔽される遮蔽部に形成されて、前記排水口に流入した水を抜く排水孔を有する建具。
【請求項３】
請求項１又は２に記載された建具において、
前記排水口は、前記上面部に対面する前記縦枠本体の下端部に形成された切欠き部である建具。
【請求項４】
請求項１ないし３のいずれかに記載された建具において、
前記縦枠は、前記縦枠本体に装着される縦装着部材を有し、
前記排水口は、前記縦枠本体の前記縦装着部材により遮蔽される部分に設けられた建具。
【請求項５】
請求項１ないし４のいずれかに記載された建具において、
前記隙間を形成する前記縦押縁の下端部の外面は、前記段差部に沿って配置される建具。
【請求項６】
請求項１ないし５のいずれかに記載された建具において、
前記隙間の幅は、前記段差部の高さよりも狭い建具。
【発明の詳細な説明】
【技術分野】
【０００１】
本発明は、枠体とパネル体を備えた建具に関する。
【背景技術】
【０００２】
パネル体の表面での結露等により、建具の下枠の上面部に水が溜まることがある。そのため、排水孔が下枠の上面部を貫通して形成されて、水が排水孔から排水される。しかしながら、排水孔が露出するときには、排水孔を通して、下枠の内部がみえることがある。また、下枠の上面部で排水孔が目立つことで、建具の外観に影響が生じる虞がある。
【０００３】
これに対し、従来、排水口（排水孔）と縦枠の押桟（縦押縁）の間に配置した排水体により、排水孔を塞ぐ排水装置が知られている（特許文献１参照）。
ところが、特許文献１に記載された従来の排水装置では、排水体が、排水孔に挿入される排水弁と、排水弁に収容される球体と、排水弁を係止するキャップを有する。そのため、排水のための部品の数が増加して、排水装置のコストが高くなることがある。また、キャップに形成された水の導入口が露出しており、建具の排水経路が目立つ虞がある。
【先行技術文献】
【特許文献】
【０００４】
【特許文献１】実開平７−３８５７４号公報
【発明の概要】
【発明が解決しようとする課題】
【０００５】
本発明は、前記従来の問題に鑑みなされたもので、その目的は、縦押縁を備えた建具の排水経路を目立たなくして、排水のための部品の数を増加させずに、下枠の上面部から排水することである。
【課題を解決するための手段】
【０００６】
本発明は、上枠、下枠、及び、一対の縦枠により開口部を形成する枠体と、前記開口部に配置されるパネル体と、を備えた建具である。前記下枠は、前記一対の縦枠の間で前記パネル体に沿って配置される上面部と、前記パネル体が位置する側の反対側に位置する前記上面部の縁部から上方に向かって形成された段差部と、を有する。前記縦枠は、前記上面部と前記上枠の間で前記パネル体に沿って配置されて前記段差部との間に隙間を形成する縦押縁と、前記縦押縁が取り付けられる縦枠本体と、前記隙間から前記縦枠本体側に流れる水が流入する排水口と、を有する。
【発明の効果】
【０００７】
本発明によれば、縦押縁を備えた建具の排水経路を目立たなくして、排水のための部品の数を増加させずに、下枠の上面部から排水することができる。
【図面の簡単な説明】
【０００８】
【図１】本実施形態の建具の正面図である。
【図２】本実施形態の建具の断面図である。
【図３】本実施形態の建具の断面図である。
【図４】枠体の下側の角部を示す斜視図である。
【図５】図４の矢印Ｘ１方向からみた下枠の断面図である。
【図６】図４の矢印Ｘ２方向からみた縦枠の断面図である。
【図７】他の実施形態の下枠を含む枠体の斜視図である。
【図８】図７の矢印Ｘ３方向からみた下枠の断面図である。
【図９】図７の矢印Ｘ４方向からみた縦枠の断面図である。
【発明を実施するための形態】
【０００９】
本発明の建具の一実施形態について、図面を参照して説明する。
本実施形態の建具は、枠体にパネル体が固定された固定窓であり、パネル体により、枠体の開口部を閉鎖する。
【００１０】
図１は、本実施形態の建具１の正面図であり、室内からみた建具１を示している。図２、図３は、本実施形態の建具１の断面図であり、建具１の概略構成を示している。図２は、建具１を垂直方向（図１の上下方向）に切断した縦断面図であり、図３は、建具１を水平方向（図１の左右方向）に切断した横断面図である。
【００１１】
図示のように、建具１は、建築物の開口部に設置されて、建築物の室内と室外の間に配置される。また、建具１は、パネル体２と、パネル体２を囲む枠体３を備えている。パネル体２は、方形状の固定面材であり、枠体３の開口部３Ａに配置される。また、パネル体２は、複数枚のガラス板２Ａを有する複層ガラスであり、枠体３の内側に嵌め込まれて、枠体３に固定される。
【００１２】
枠体３は、方形状の開口枠（窓枠）であり、複数の取付部材４（ここでは、ねじ）により、建築物の開口部を囲む縁部（開口縁部）に取り付けられる。また、枠体３は、枠組みされた４つの枠５〜７（上枠５、下枠６、一対の縦枠７）を有し、枠５〜７により、方形状の開口部３Ａを形成する。枠５〜７は、枠体３を構成する長尺部材であり、それぞれパネル体２の縁部（上縁部、下縁部、一対の縦縁部）に沿って配置される。パネル体２の縁部が枠５〜７により保持されて、パネル体２が枠体３の開口部３Ａに保持される。
【００１３】
枠体３は、４つの枠５〜７のそれぞれに、枠５〜７のベース部材である枠本体５Ａ〜７Ａ（上枠本体５Ａ、下枠本体６Ａ、縦枠本体７Ａ）と、枠本体５Ａ〜７Ａに装着される装着部材５Ｂ〜７Ｂ（上装着部材５Ｂ、下装着部材６Ｂ、縦装着部材７Ｂ）を有する。ここでは、枠本体５Ａ〜７Ａは、金属製の枠部材（金属枠部）であり、装着部材５Ｂ〜７Ｂは、合成樹脂製の枠部材（樹脂枠部）である。従って、枠体３は、金属と樹脂からなる複合サッシである。
【００１４】
枠本体５Ａ〜７Ａは、金属（ここでは、アルミニウム合金）の押出成形により成形されて、方形状に組み合わされる。装着部材５Ｂ〜７Ｂは、合成樹脂の押出成形により成形され、それぞれ枠本体５Ａ〜７Ａの取付部に取り付けられて、枠本体５Ａ〜７Ａに装着される。装着部材５Ｂ〜７Ｂは、それぞれ枠５〜７の長手方向に沿って配置されて、枠本体５Ａ〜７Ａの室内に露出する部分を覆う。
【００１５】
上枠５の上装着部材５Ｂは、上カバー部材１０と上押縁２０からなり、パネル体２の室内側に配置されるとともに、一対の縦枠７の間に配置される。上カバー部材１０は、上押縁２０の室内側に配置されて、建築物の開口縁部の表面（ここでは、上額縁の下面）を覆う。上押縁２０は、パネル体２と上カバー部材１０の間に配置される。上カバー部材１０は、係合部である１つの突出部１１を有し、屈曲形状に形成されている。上押縁２０は、係合部である２つの突出部２１と、パネル体２を保持する保持部２２を有し、中空状に形成されている。
【００１６】
上枠５の上枠本体５Ａは、パネル体２を保持する保持部５Ｃと、カバー取付部５Ｄと、押縁取付部５Ｅを有する。保持部５Ｃは、開口部３Ａの内側（パネル体２側）に突出する突出部であり、パネル体２の室外側で、パネル体２の上縁部に沿って配置される。密閉材８が、保持部５Ｃに取り付けられて、パネル体２の室外側の面に接触する。上カバー部材１０の突出部１１は、溝状の被係合部であるカバー取付部５Ｄに挿入されて、カバー取付部５Ｄに係合する。これにより、上カバー部材１０が上枠本体５Ａのカバー取付部５Ｄに取り付けられる。
【００１７】
上押縁２０の２つの突出部２１は、押縁取付部５Ｅの２つの被係合部の内側に挿入されて、それぞれ押縁取付部５Ｅの被係合部に係合する。これにより、上押縁２０が上枠本体５Ａの押縁取付部５Ｅに取り付けられる。上押縁２０は、パネル体２の室内側で、パネル体２の上縁部に沿って配置される。密閉材８が、上押縁２０の保持部２２に取り付けられて、パネル体２の室内側の面に接触する。パネル体２の上縁部は、上枠本体５Ａの保持部５Ｃと上押縁２０の保持部２２の間に配置されて、保持部５Ｃ、２２に保持される。
【００１８】
下枠６の装着部材６Ｂは、下カバー部材３０からなり、パネル体２の室内側に配置されるとともに、一対の縦枠７の間に配置される。下カバー部材３０は、パネル体２側に位置する第１カバー部３１（パネル体側カバー部）と、室内側に位置する第２カバー部３２（室内側カバー部）を有する。第１カバー部３１は、パネル体２に沿って配置されて、下枠本体６Ａの一部（パネル体２よりも室内側の部分）を覆う。第２カバー部３２は、第１カバー部３１の室内側に配置されて、建築物の開口縁部の表面（ここでは、下額縁の上面）を覆う。
【００１９】
下カバー部材３０は、係合部である２つの突出部３３と、パネル体２を保持する保持部３４を有し、屈曲形状に形成されている。下枠６の下枠本体６Ａは、パネル体２を保持する保持部６Ｃと、カバー取付部６Ｄを有する。保持部６Ｃは、開口部３Ａの内側に突出する突出部であり、パネル体２の室外側で、パネル体２の下縁部に沿って配置される。密閉材８が、保持部６Ｃに取り付けられて、パネル体２の室外側の面に接触する。
【００２０】
下カバー部材３０の２つの突出部３３は、カバー取付部６Ｄの２つの被係合部の外側に配置されて、それぞれカバー取付部６Ｄの被係合部に係合する。これにより、下カバー部材３０が下枠本体６Ａのカバー取付部６Ｄに取り付けられる。下カバー部材３０は、パネル体２の室内側で、パネル体２の下縁部に沿って配置される。密閉材８が、下カバー部材３０の保持部３４に取り付けられて、パネル体２の室内側の面に接触する。パネル体２の下縁部は、下枠本体６Ａの保持部６Ｃと下カバー部材３０の保持部３４の間に配置されて、保持部６Ｃ、３４に保持される。
【００２１】
縦枠７の縦装着部材７Ｂは、縦カバー部材４０と縦押縁５０からなり、パネル体２の室内側に配置されるとともに、上枠５と下枠６の間に配置される。縦カバー部材４０は、縦押縁５０の室内側に配置されて、建築物の開口縁部の表面（ここでは、縦額縁の側面）を覆う。縦押縁５０は、パネル体２と縦カバー部材４０の間に配置される。縦カバー部材４０は、係合部である１つの突出部４１を有し、屈曲形状に形成されている。縦押縁５０は、係合部である２つの突出部５１と、パネル体２を保持する保持部５２を有し、中空状に形成されている。
【００２２】
縦枠７の縦枠本体７Ａは、パネル体２を保持する保持部７Ｃと、カバー取付部７Ｄと、押縁取付部７Ｅを有する。保持部７Ｃは、開口部３Ａの内側に突出する突出部であり、パネル体２の室外側で、パネル体２の縦縁部に沿って配置される。密閉材８が、保持部７Ｃに取り付けられて、パネル体２の室外側の面に接触する。縦カバー部材４０の突出部４１は、溝状の被係合部であるカバー取付部７Ｄに挿入されて、カバー取付部７Ｄに係合する。これにより、縦カバー部材４０が縦枠本体７Ａのカバー取付部７Ｄに取り付けられる。
【００２３】
縦押縁５０の２つの突出部５１は、押縁取付部７Ｅの２つの被係合部の内側に挿入されて、それぞれ押縁取付部７Ｅの被係合部に係合する。これにより、縦押縁５０が縦枠本体７Ａの押縁取付部７Ｅに取り付けられる。縦押縁５０は、パネル体２の室内側で、パネル体２の縦縁部に沿って配置される。密閉材８が、縦押縁５０の保持部５２に取り付けられて、パネル体２の室内側の面に接触する。パネル体２の縦縁部は、縦枠本体７Ａの保持部７Ｃと縦押縁５０の保持部５２の間に配置されて、保持部７Ｃ、５２に保持される。
【００２４】
下枠６は、段違いの２つの上面部６１、６２（第１上面部６１、第２上面部６２）と、上面部６１、６２の間に形成された段差部６３を有する。上面部６１、６２は、下枠６の上面を構成する部分であり、上枠５の下面部と対向して配置される。上面部６１、６２の上側の表面は、下枠６の上面であり、それぞれ平面状に形成されている。上面部６１、６２は、枠体３の内周部６０の一部（下部）であり、パネル体２の室内側で、枠体３の開口部３Ａの下部を区画する。ここでは、上面部６１、６２は、下カバー部材３０の上面を含む板状の見込み部であり、下枠６の見込み方向（室内外方向）に沿って配置される。
【００２５】
第１上面部６１は、第２上面部６２に対してパネル体２側に位置するパネル体側上面部であり、第２上面部６２は、第１上面部６１に対して室内側に位置する室内側上面部である。また、第１上面部６１は、第１カバー部３１の上面部であり、第２上面部６２は、第２カバー部３２の上面部である。第１上面部６１は、一対の縦枠７の間でパネル体２に沿って配置されて、パネル体２から室内側に向かって形成されている。第２上面部６２は、一対の縦枠７の間に配置されて、段差部６３から室内側に向かって形成されている。
【００２６】
下枠６の第１上面部６１と縦枠７の縦押縁５０は、パネル体２の室内側に配置されて、パネル体２に隣接する。また、縦押縁５０は、第１上面部６１と上枠５の間でパネル体２に沿って配置される。縦枠７側に位置する第１上面部６１の端部が縦押縁５０の下方に配置されて、縦押縁５０の下端部５３が第１上面部６１の端部に接触する。縦押縁５０は、第２上面部６２及び段差部６３に接触せず、第２上面部６２及び段差部６３よりもパネル体２側に配置される。
【００２７】
図４は、枠体３の下側の角部を示す斜視図であり、下枠６と縦枠７が交わる角部を斜め上方からみて示している。図４では、パネル体２と縦枠７の縦カバー部材４０を省略し、縦カバー部材４０により隠される部分を示している。図５は、図４の矢印Ｘ１方向からみた下枠６の断面図であり、図６は、図４の矢印Ｘ２方向からみた縦枠７の断面図である。
図示のように、下枠６の第１上面部６１は、縦押縁５０により遮蔽される遮蔽部６４と、枠体３の開口部３Ａの内側に露出する露出部６５と、下枠６の長手方向に沿って形成された２つの縁部６６、６７（第１縁部６６、第２縁部６７）を有する。
【００２８】
遮蔽部６４は、縦枠７側に位置する第１上面部６１の所定部であり、縦枠７側に位置する第１上面部６１の端部に設けられている。縦押縁５０の下端部５３が遮蔽部６４に配置されて、遮蔽部６４が縦押縁５０により隠される。露出部６５は、縦押縁５０により遮蔽されずに露出する第１上面部６１の非遮蔽部である。縦押縁５０の下端部５３は、露出部６５に配置されず、露出部６５は、パネル体２の室内側で露出する。
【００２９】
第１縁部６６は、パネル体２側に位置する第１上面部６１のパネル体側縁部であり、パネル体２に対向して配置される。第２縁部６７は、パネル体２が位置する側の反対側に位置する第１上面部６１の反対側縁部であり、パネル体２側の反対側に配置される。第１縁部６６と第２縁部６７は、平行に形成されている。ここでは、第１上面部６１及び第１縁部６６は、パネル体２の室内側で、パネル体２の下縁部に沿って配置される。また、第２縁部６７は、室内側に位置する第１上面部６１の室内側縁部であり、縦押縁５０よりも室内側に配置される。
【００３０】
第１上面部６１は、第２上面部６２よりも下側に位置し、第２上面部６２は、第１上面部６１よりも上側に位置する。段差部６３は、第１上面部６１と第２上面部６２の段差により、第１上面部６１と第２上面部６２の間に形成された段部であり、第１上面部６１と第２上面部６２を連結する。また、段差部６３は、第１上面部６１の第２縁部６７に接続し、第２縁部６７から上方に向かって形成されている。
【００３１】
縦枠７は、縦枠本体７Ａと、縦枠本体７Ａに装着される縦装着部材７Ｂ（縦カバー部材４０、縦押縁５０）と、排水口７０を有する。縦押縁５０は、縦枠本体７Ａに取り付けられて、第１上面部６１に接触する。その状態で、縦押縁５０は、段差部６３から離して配置されて、段差部６３との間に排水用の隙間７１を形成する。隙間７１を形成する縦押縁５０の下端部５３の外面は、段差部６３に沿って配置される。隙間７１は、縦押縁５０の下端部５３と段差部６３の間に設けられて、縦押縁５０の下端部５３及び段差部６３に沿って延びる。隙間７１の幅（縦押縁５０と段差部６３の距離）は段差部６３の高さ（上下方向の段差の距離）よりも狭く、隙間７１の幅寸法は段差部６３の高さ寸法よりも小さい。
【００３２】
隙間７１は、縦押縁５０と段差部６３の間に形成される溝状の排水路であり、第１上面部６１の露出部６５と縦枠７の排水口７０の間に位置する。隙間７１により、露出部６５と排水口７０が連通して、第１上面部６１に溜まった水が排水口７０まで流れる。排水口７０は、隙間７１から縦枠本体７Ａ側に流れる水が流入する流入口であり、縦枠本体７Ａに設けられている。第１上面部６１の水は、隙間７１及び排水口７０を通って、建具１の外部に排水される。
【００３３】
排水口７０は、第１上面部６１に対面する縦枠本体７Ａの下端部に形成された水抜き用の切欠き部であり、縦枠本体７Ａの下端部を切欠くことで、第１上面部６１の表面の位置に形成される。排水口７０は、縦枠本体７Ａと第１上面部６１の間に形成されて、隙間７１から流入する水を排水する。ここでは、縦枠本体７Ａの押縁取付部７Ｅの下端部が切欠かれて、排水口７０が押縁取付部７Ｅと第１上面部６１の間に設けられる。排水口７０は、縦枠本体７Ａ、第１上面部６１、及び、縦押縁５０により区画されて、矩形状に形成される。また、排水口７０は、縦枠本体７Ａの縦装着部材７Ｂにより遮蔽される部分に設けられて、縦装着部材７Ｂにより遮蔽される。
【００３４】
第１上面部６１の水は、隙間７１及び排水口７０を含む建具１の排水経路を通って、建具１の外部（室外側）に排水される（図４〜図６の矢印Ｗ１参照）。その際、水は、隙間７１に流入して、隙間７１内を縦枠本体７Ａ側に向かって流れる。続いて、水は、隙間７１から流出し、縦枠本体７Ａ側に向かって流れて、排水口７０まで移動する。水は、排水口７０から第１上面部６１の遮蔽部６４に流入し、縦押縁５０と縦枠本体７Ａの間で室外側へ向かって流れる。その後、水は、下枠６の所定の排水経路を通って、室外に排水される。
【００３５】
以上説明した建具１では、隙間７１及び排水口７０により水を排水しており、建具１の排水経路を目立たなくして、建具１の外観を向上させることができる。また、下枠６に必要な排水性能を確保して、下枠６の第１上面部６１から確実に排水することができる。排水のための部品の数を増加させることなく、円滑に排水でき、建具１のコストを削減することができる。第１上面部６１の表面を平面状に形成して、第１上面部６１の表面の凹凸を少なくすることもできる。
【００３６】
排水口７０が縦枠本体７Ａに形成した切欠き部からなるため、排水口７０を縦枠７に簡単に設けることができる。排水口７０を縦枠本体７Ａの縦装着部材７Ｂにより遮蔽される部分に設けるときには、排水口７０を隠すことができる。縦押縁５０の下端部５３の外面は、段差部６３に沿って配置される。これにより、隙間７１がより目立たなくなるとともに、水が隙間７１内で円滑に流れる。隙間７１の幅が段差部６３の高さよりも狭いときには、段差部６３により隙間７１の一部又は全部が隠されることで、隙間７１が更に目立たなくなる。
【００３７】
なお、第１上面部６１の水は、隙間７１及び排水口７０を通って排水されればよく、隙間７１から排水口７０に流入した後、種々の排水経路を通って排水される。例えば、水は、下枠６に形成した切欠き部又は孔等を通って、下枠６の外部に排水される。
【００３８】
図７は、他の実施形態の下枠６を含む枠体３の斜視図であり、図４と同様に、枠体３の下側の角部を示している。図８は、図７の矢印Ｘ３方向からみた下枠６の断面図であり、図９は、図７の矢印Ｘ４方向からみた縦枠７の断面図である。
図示のように、ここでは、下枠６の第１上面部６１は、排水口７０に流入した水を抜く排水孔７２を有する。排水孔７２は、縦枠７側に位置する第１上面部６１の端部に設けられて、縦押縁５０の下方に配置される。
【００３９】
排水孔７２は、第１上面部６１から水を抜いて排水する水抜き孔であり、第１上面部６１の遮蔽部６４に形成されている。排水孔７２の全体が、第１上面部６１の縦押縁５０により遮蔽される部分に形成されて、縦押縁５０により遮蔽される。また、排水孔７２は、第１上面部６１を貫通する矩形状の貫通孔であり、排水口７０に対してパネル体２側に配置されて、排水口７０に隣接する。排水口７０側に位置する排水孔７２の縁部（室内側縁部）は、排水口７０の下縁部よりも長く形成されて、排水口７０の下縁部に沿って配置される。
【００４０】
排水口７０に流入した水は、排水孔７２に流入し、排水孔７２を通って、建具１の外部に排水される（図７〜図９の矢印Ｗ２参照）。その際、水は、排水孔７２を通って落下して、下枠６の内部に移動する。続いて、水は、下枠６の所定の排水経路を通って、室外に排水される。排水孔７２により、排水口７０に流入した水を円滑に排水でき、第１上面部６１からの排水をより確実に行うことができる。
【００４１】
以上、第１上面部６１が下カバー部材３０の一部である実施形態について説明したが、第１上面部６１は、下カバー部材３０以外の下枠６の部材（又は、部材の一部）であってもよい。例えば、下枠６が下カバー部材３０を有さないときには、第１上面部６１は、下カバー部材３０以外の装着部材６Ｂの一部である。或いは、下枠６が装着部材６Ｂを有さないときには、第１上面部６１は、下枠本体６Ａの一部である。
【００４２】
枠５〜７の枠本体５Ａ〜７Ａと装着部材５Ｂ〜７Ｂは、金属製であってもよく、合成樹脂製であってもよい。また、排水口７０と排水孔７２の形状は、それぞれ水が流入可能な形状（例えば、矩形状、種々の多角形状、円形状）であればよい。排水口７０は、縦枠本体７Ａの押縁取付部７Ｅに限定されず、隙間７１から水が流入可能な縦枠７の種々の位置に設けることができる。
【符号の説明】
【００４３】
１・・・建具、２・・・パネル体、３・・・枠体、４・・・取付部材、５・・・上枠、６・・・下枠、７・・・縦枠、８・・・密閉材、１０・・・上カバー部材、１１・・・突出部、２０・・・上押縁、２１・・・突出部、２２・・・保持部、３０・・・下カバー部材、３１・・・第１カバー部、３２・・・第２カバー部、３３・・・突出部、３４・・・保持部、４０・・・縦カバー部材、４１・・・突出部、５０・・・縦押縁、５１・・・突出部、５２・・・保持部、５３・・・下端部、６０・・・内周部、６１・・・第１上面部、６２・・・第２上面部、６３・・・段差部、６４・・・遮蔽部、６５・・・露出部、６６・・・第１縁部、６７・・・第２縁部、７０・・・排水口、７１・・・隙間、７２・・・排水孔。
【図１】
2018076703.tif 000003
【図２】
2018076703.tif 000004
【図３】
2018076703.tif 000005
【図４】
2018076703.tif 000006
【図５】
2018076703.tif 000007
【図６】
2018076703.tif 000008
【図７】
2018076703.tif 000009
【図８】
2018076703.tif 000010
【図９】
2018076703.tif 000011